(57)【要約】【課題】  カード紙のような部分的変形が発生している記録材の、印刷起動時に発生する記録材の折りたたみ不良や用紙搬送不良によるジャムの発生を防止し、信頼性の高い印刷装置を提供する。【解決手段】  長尺に連続した記録材を搬送する搬送手段を有し、前記搬送手段側から送り出された記録材を所定間隔毎に表裏交互に折りたたみ、前記記録材を積載収容するスタッカと、前記スタッカの前段において前記搬送手段側から送り出されてくる前記記録材に振子動作可能としたミシン目折りたたみ力を付与するスイングフィンが前記スタッカ内に実装され、羽根の付いたベルトで前記記録材の折りミシン目で折り畳み、整列させるためのパドルを備えた印刷装置において、カード紙のような部分変形のある用紙を印刷する場合には、印刷起動時に前記スタッカテーブルを一定量下げる。また、前記スタッカテーブルの下げる量は可変可能である。【選択図】図１
2009203045.tif 000002
【特許請求の範囲】
【請求項１】
長尺に連続した記録材を搬送する搬送手段を有し、前記搬送手段側から送り出された記録材を所定間隔毎に表裏交互に折りたたみ、前記記録材を積載収容するスタッカと、前記スタッカの前段において前記搬送手段側から送り出されてくる前記記録材に振子動作可能としたミシン目折りたたみ力を付与するスイングフィンが前記スタッカ内に実装され、羽根の付いたベルトで前記記録材の折りミシン目で折り畳み、整列させるためのパドルを備えた印刷装置において、
カード紙のような部分変形のある用紙を印刷する場合には、印刷起動時に前記スタッカテーブルを一定量下げることを特徴とする印刷装置。
【請求項２】
前記請求項１記載の印刷装置において、前記スタッカテーブルの下げる量が可変可能であることを特徴とする印刷装置。
【発明の詳細な説明】
【技術分野】
【０００１】
本発明は連続紙などの長尺に連続した記録材に印刷を行う印刷装置に関するものである。
【背景技術】
【０００２】
図１を用いて電子写真方式を用いた連続紙印刷装置の概略構成を説明する。上位装置（図示せず）からドットデータに分解された印刷信号が送信されてくると、レーザ光２０が感光ドラム１の表面を走査する。感光ドラム１の表面は帯電器２により一様に帯電され、レーザ光２０が照射された部分の電荷が逃げ、感光ドラム１の表面に静電潜像が形成される。静電潜像は現像機３により現像され、転写器４と対向する位置に運ばれる。
【０００３】
記録材５（ここでは用紙を用いている）を搬送する手段は、２つのトラクタ６，１３により構成されており、ホッパ１５からトラクタ６，１３によって送られる用紙５は、転写器４の前を一定速度で走行しており、リトラクタ７によって感光ドラム１の表面に押し付けられている。転写器４の前に運ばれた感光ドラム１表面のトナー像は転写器４によって用紙５に転写される。トナー像が転写された用紙５はバッファ８を通った後、加熱ローラ９と加圧ローラ１０の間を通って熱および圧力により定着される。
【０００４】
トナー像を定着させる際に、加熱ローラ９と加圧ローラ１０によって、熱及び圧力を加えることによって、用紙５には全体的な変形が発生するが、カード紙などの部分的に違いのある材質を使用している用紙の場合には、用紙５に部分的な変形が発生する場合がある。
【０００５】
定着された用紙５は排紙ローラ１１により搬送され、予め所定間隔毎に設けられた折りミシン目に従い、スイングフィン１２の振子動作により折り分けられた後、羽根の付いた回転するパドル１６により一定間隔で折りミシン目を叩くことで、折りたたみ状態を整えられながら規定位置の高さで停止しているスタッカテーブル１４上に積み上げられ、上位装置（図示せず）から送信される印刷停止信号によって、予め定められた印刷停止動作によって、スイングフィン１２のポジション位置を記憶して印刷動作が終了する。
【０００６】
印刷動作を再起動する場合には、スタッカテーブルモータ１９によってスタッカテーブル１４を基準の高さまで上昇させ、スイングフィンモータ１７によってスイングフィン１２を基準位置（停止時に記憶した位置を基準とする）へ移動する。この時に、カード紙などの部分的な変形のある用紙では、この部分的な変形と、スイングフィン１２を基準位置（停止時に記憶した位置を基準とする）へ移動する動作が原因となり、ミシン目の折りたたみ状態が反転し用紙の折りたたみ不良や、用紙搬送不良によるジャムが発生する場合がある。
【０００７】
【特許文献１】特開２０００−１２８４２７号公報
【発明の開示】
【発明が解決しようとする課題】
【０００８】
本発明は、用紙の部分的変形とスイングフィンの基準位置への移動により、印刷起動時にスイングフィンとスタッカテーブルの間で発生する折りたたみミシン目の反転を防止し、用紙の折りたたみ不良及び、搬送不良によるジャムの発生をなくすことが可能な印刷装置を提供することにある。
【課題を解決するための手段】
【０００９】
上記課題は、長尺に連続した記録材を搬送する搬送手段を有し、前記搬送手段側から送り出された記録材を所定間隔毎に表裏交互に折りたたみ、前記記録材を積載収容するスタッカと、前記スタッカの前段において前記搬送手段側から送り出されてくる前記記録材に振子動作可能としたミシン目折りたたみ力を付与するスイングフィンが前記スタッカ内に実装され、羽根の付いたベルトで前記記録材の折りミシン目で折り畳み、整列させるためのパドルを備えた印刷装置において、カード紙のような部分変形のある用紙を印刷する場合には、印刷起動時に前記スタッカテーブルを一定量下げることによって達成される。ここで、前記スタッカテーブルの下げる量は可変可能としている。
【発明の効果】
【００１０】
本発明によれば、部分的変形のある記録材を印刷する場合には印刷起動時にスタッカテーブルを下げてから、スイングフィンの基準位置へ移動することによって、ミシン目の反転をなくし、記録材に余分な負荷を与えないで印刷起動できるようになり、記録材の折りたたみ不良や搬送不良によるジャムの発生を防止できる。
【発明を実施するための最良の形態】
【００１１】
部分的変形のある記録材における、印刷起動時の折りたたみ不良やジャムを防止するため、部分的変形のある記録材を印刷する場合には、印刷起動時にスタッカテーブルを一定量下げることを従来と同じ構成で実現した。
【００１２】
以下、本発明の実施例を、図１を用いて説明する。
【００１３】
印刷起動時には、背景技術と同様に上位装置（図示せず）から印刷起動信号が送られる。印刷起動信号により、スタッカテーブルモータ１９によりスタッカテーブル１４を所定の位置まで上げた後に、一定量下げて用紙の屈曲を少なくしてから、スイングフィンモータ１７によってスイングフィン１２の傾き方向を予め記憶された位置に移動し印刷を開始する。この動作によって、スイングフィン１２の振り角度が同一（θ１＝θ２）であっても、スイングフィン１２動作前にスタッカテーブル１４を一定量下げてから、スイングフィン１２の傾き方向を予め記憶された位置へ移動することで、用紙の屈曲が小さくなり（θ３＜θ４）、用紙５への余分な負荷が軽減し、ミシン目折りたたみ状態が反転することがなくなる。これによって、ミシン目の折りたたみ不良や用紙搬送不良によるジャムの発生を防止でき、信頼性の高い印刷装置が提供できる。
【図面の簡単な説明】
【００１４】
【図１】連続紙印刷装置の概略構成図である。
【符号の説明】
【００１５】
１は感光ドラム、２は帯電器、３は現像機、４は転写器、５は用紙（記録材）、６，１３はトラクタ、７はリトラクタ、８はバッファ、９は加熱ローラ、１０は加圧ローラ、１１は排紙ローラ、１２はスイングフィン、１４はスタッカテーブル、１５はホッパ、１６はパドル、１７はスイングフィンモータ、１８はパドルモータ、１９はスタッカテーブルモータ、２０はレーザ光である。
【図１】
2009203045.tif 000003